(57)【要約】  本発明は、設定された幅Ｌ、長さｌ及び高さＨを持ち、上面１Ａを形成し、かつ前記上面１Ａにおいて複数の調理ゾーン３及び１つのキャビティ４と、レンジを作動し制御しかつ調理蒸気Ｆの下向き排出を許容するために前記上面１Ａと一緒に据付けユニットを形成する装置２と、を備える調理用レンジに関する。調理用レンジ１は、装置２が前記上面１Ａから順に、複数の調理ゾーン３を加熱できる加熱要素及び前記調理用レンジ用の制御及び監視要素を保持するように作動可能に構成された器具５、前記キャビティ４と流体連絡する第１調理蒸気取入れ室６、ラジアルファン７Ａ用のファンハウジング７、前記キャビティ４と流体連絡する第２調理蒸気取入れ室８、を備える。前記ファンハウジング７は、前記第１取入れ室６及び前記第２取入れ室８と流体連絡し、前記第１取入れ室６は、前記調理蒸気Ｆをファンハウジング７の中へ下向きに運ばれる調理蒸気の第１部分と前記第２取入れ室８を通過してファンハウジング７の中へ上向きに運ばれる調理蒸気の第２部分Ｆ２とに分割するように構成される。
2019510955.tif 000002
【特許請求の範囲】
【請求項１】
設定された幅（Ｌ）、長さ（ｌ）及び高さ（Ｈ）を持ち、上面（１Ａ）及びこれに対向する底面（１Ｂ）を形成する調理用レンジ（１）であって、
−前記上面（１Ａ）に複数の調理ゾーン（３）及び１つのキャビティ（４）と、
−前記調理用レンジを作動し制御しかつ調理蒸気（Ｆ）の下向き排出を許容するために、前記上面（１Ａ）と一緒に据付けユニットを形成する装置（２）と、
を備え、
前記装置（２）が、前記上面（１Ａ）から順番に、
−前記複数の調理ゾーン（３）を加熱できる加熱要素、及び前記調理用レンジ用の制御及び監視電子機器を保持するように作動可能に構成された器具（５）と、
−前記キャビティ（４）と流体連絡する第１調理蒸気取入れ室（６）と、
−ラジアルファン（７Ａ）用のファンハウジング（７）と、
−前記キャビティ（４）と流体連絡する第２調理蒸気取入れ室（８）と、
を備え、
−前記ファンハウジング（７）が前記第１取入れ室（６）及び前記第２取入れ室（８）と流体連絡し、
−前記第１取入れ室（６）が、前記調理蒸気（Ｆ）を、下向きに前記ファンハウジング（７）の中へ運ばれる前記調理蒸気の第１部分（Ｆ１）と前記第２取入れ室（８）を通過して前記ファンハウジング（７）の中へ上向きに運ばれる前記調理蒸気の第２部分（Ｆ２）とに分割するように構成される、
ことを特徴とする、調理用レンジ。
【請求項２】
前記第１取入れ室（６）が前記調理蒸気（Ｆ）を前記第１部分（Ｆ１）と第２部分（Ｆ２）とに分離するためのコンベアとして作用する湾曲周囲壁（６Ａ）を備える、請求項１に記載の調理用レンジ。
【請求項３】
前記第１取入れ室（６）が、取入れグリル（６Ｂ）を備え、前記グリルを通過して前記第１蒸気部分（Ｆ１）が流れ、前記取入れグリルが前記器具（５）に近接して配置される、請求項２に記載の調理用レンジ。
【請求項４】
蒸気排出ダクト（９）を備え、前記ファンハウジングが、前記調理用レンジの抽出構成において前記ダクト（９）と直接連絡するか、又はフィルタ構成においてフィルタユニットを介する、請求項１に記載の調理用レンジ。
【請求項５】
前記ファンハウジング（７）が、その中に設置された前記ファン（７Ａ）を有し、かつ前記調理蒸気の前記第２部分（Ｆ２）が通過して流れる取入れグリル（７Ａ）を有する底部（７Ｄ）と、渦形室（７Ｂ）として作用する壁と、を備える、請求項１に記載の調理用レンジ。
【請求項６】
前記ファンハウジング（７）の前記底部（７Ｄ）が前記底面（１Ｂ）と一緒に前記調理蒸気用の流入路（１０）を形成する、請求項５に記載の調理用レンジ。
【請求項７】
前記ラジアルファン（７Ａ）を作動するように構成された電気機械（１２）を備え、前記電気機械が、少なくとも部分的に前記第１取入れ室（６）の中に収容される、請求項１に記載の調理用レンジ。
【請求項８】
前記電気機械（１２）が前記器具（５）の底部（５Ａ）に機械的に接続される、請求項７に記載の調理用レンジ。
【請求項９】
蒸気の前記第１部分（Ｆ１）及び前記第２部分（Ｆ２）が、前記調理用レンジの前記底面に対して平行に外向きの方向に、それぞれ前記第１取入れ室（６）及び前記第２取入れ室（８）へ向かって運ばれる、請求項１に記載の調理用レンジ。
【請求項１０】
前記キャビティ（４）が、前記ラジアルファン（７Ａ）の回転軸線（Ｙ’−Ｙ’）からオフセットされた、予め設定された垂直方向（Ｙ−Ｙ）に延びる、請求項１に記載の調理用レンジ。
【発明の詳細な説明】
【技術分野】
【０００１】
本発明は、請求項１の前提部に記載の調理用レンジ（cooktop）に関する。
【０００２】
特に、限定的ではなく、本発明は、「ダウンドラフトフード」（downdraft hood）の名前で市販される、フード（hood）を一体化する調理用レンジに関する。
【背景技術】
【０００３】
家庭用フードは、料理中生じる気体即ち調理によって生じる蒸気の抽出に関して議論の余地のない有用性を持つので、住居の台所において一般的なものになってきた。
【０００４】
調理蒸気を効果的に除去できる家庭用フードの設置の重要性は増している。
【０００５】
このために、取入れ吸引を用いて空気を抽出しかつ抽出された空気を家の外へ排出し、この空気をろ過して家庭環境へ再循環できるフードが、開発されてきた。
【０００６】
ダウンドラフトフードは、多様な市販のフードに含まれ、しばしば調理用レンジに又は厨房家具調理台に一体化される。
【０００７】
即ち、ダウンドラフトフードは、調理蒸気が垂直下向き方向に調理用レンジへ向かって抽出されるように、調理蒸気の上昇流量より高いクロスフローを発生するように構成される。
【０００８】
このようなダウンドラフトフードの１つの実施例が、特許文献１（米国特許第２６７４９９１号明細書）、特許文献２（米国特許出願公開第２００７／００６２５１３号明細書）又は特許文献３（国際公開第２０１２／１４６２３７号）において開示される。
【０００９】
上記の文献は、フードが一体化された調理用レンジを開示する。前記文献において開示されるフードは、調理用レンジの実質的に食品加熱ゾーンによって画定される幾何学的中心付近に形成されたキャビティ又はスロットを介して気体を抽出するように構成される。
【００１０】
特許文献１、特許文献２及び特許文献３において開示される調理用レンジの形態は、その意図する目的のために適切な機能を与えるが、電力及び特に流体力学的効率の点で効率の悪い構造を持つ。
【先行技術文献】
【特許文献】
【００１１】
【特許文献１】米国特許第２６７４９９１号明細書
【特許文献２】米国特許出願公開第２００７／００６２５１３号明細書
【特許文献３】国際公開第２０１２／１４６２３７号
【発明の概要】
【発明が解決しようとする課題】
【００１２】
したがって、本発明の技術的目的は、概ね先行技術の設計より効率の良い一体化フードを持つ調理用レンジを提供することである。
【課題を解決するための手段】
【００１３】
本発明によれば、上記の技術的目的及び目標は、請求項の１つ又はそれ以上において規定される調理用レンジによって達成される。
【発明の効果】
【００１４】
さらに、本発明は、電力効率が改良された即ち先行技術の設計より消費電力が小さい一体化フードを持つ調理用レンジを提供する。
【００１５】
本発明は、又、抽出された気体に対してより効率の良いろ過効率を有する一体化フードを持つ調理用レンジを提供する。
【００１６】
本発明の更なる特徴及び利点は、添付図面に示す家庭用フードの好ましい非排他的実施形態の例示的非限定的説明から更に明らかになる。
【図面の簡単な説明】
【００１７】
【図１】本発明の調理用レンジの１つの実施形態の上面斜視図である。
【図２】図１のフードの底面斜視図である。
【図３】図１のフードの部品の分解斜視図である。
【図４】他の部品をより良く示すために特定の部品が省略されている、図１のフードの断面斜視図である。
【図５】他の部品をより良く示すために特定の部品が省略されている、図１のフードの側面断面図である。
【発明を実施するための形態】
【００１８】
明確に述べない場合にも、特定の実施形態に関連して説明する個別の特徴は、他の好ましい実施形態に関連して説明する他の特徴の補助的な及び／又はこれと交換可能なものとする。
【００１９】
本発明の調理用レンジは、図において全体が参照番号１として示される。
【００２０】
調理用レンジ１は、設定された幅“Ｌ”、長さ“ｌ”及び高さ“Ｈ”を持ち、以下でさらに詳しく説明するように、好ましくは前記高さ“Ｈ”内に、制御及び食品の加熱／調理のため並びに調理の気体Ｆを抽出するために必要な部品を収容する装置２を備える。
【００２１】
このような調理用レンジ１は、上面１Ａと底面１Ｂとを形成する。
【００２２】
即ち、調理用レンジ１を設置したとき、上面１Ａは、露出側又は目に見える側になるように設計され、底面１Ｂは、使用者の視線から隠された側になるように例えば厨房家具に埋め込まれるように設計される。
【００２３】
１つの形態において、上面１Ａには、複数の調理ゾーン３及び１つのキャビティ４がある。
【００２４】
複数の調理ゾーン３は、上面１Ａ上に便利に配置され、特に、加熱される食品が保持される容器へ熱を伝達するように熱を放射できる。
【００２５】
好ましい実施形態において、調理ゾーン３は、抵抗加熱要素、より好ましくは誘導加熱要素として実現される。
【００２６】
複数の調理ゾーン３は、図１の好ましい実施形態においては４つのゾーンであるが、他の実施形態は、より多くの又は少ない数のゾーンを想定できる。
【００２７】
１つの実施形態において、上面１Ａは、ガラス板又はガラスのような特性を有する任意の材料で作られたシートとして実現される。
【００２８】
キャビティ４は、実質的に、上面１Ａと底面１Ｂとの間に延び、調理ゾーン３の位置に対して中心エリアに配置される。
【００２９】
図の特定の実施形態において、キャビティ４は、上面１Ａから延びて、底面に触れることなく底面１Ｂにほぼ達する。即ち、以下でさらに詳しく説明するように、水、蒸気及び／又は流体を収集するように設計されたスペースを残す。
【００３０】
特に、図１にも示すように、キャビティ４は、グリル４Ｂによって保護される好ましくは円形の取入れポート４Ａ及び底部４Ｃ（図５）を形成する。
【００３１】
キャビティ４は、円筒形であり、以下でさらに詳しく説明するように、調理蒸気Ｆが取入れ室６及び８へ向かって流れるように、側面及び底面（即ち底部４Ｃを形成する面）の両方において開いている。
【００３２】
グリル４Ｂは取入れポート４Ａから取外し可能であり、かつ、電気機械８の作動を妨害する可能性のある要素の導入を防止するので安全上の目的も有する。
【００３３】
１つの形態において、図５も参照すると、調理用レンジ１は、調理の気体の中の油脂及び蒸気をろ過するためにキャビティ４の中に配置されたフィルタ１１を備える。
【００３４】
即ち、上記フィルタ１１は、キャビティ４の形状に嵌るように設計される。
【００３５】
好ましくは、フィルタ１１は、金網又は同様の特性を持つ他の材料から成る油脂フィルタである。
【００３６】
好ましい実施形態において、フィルタ１１は、円筒形を有し、清掃又は交換など通常の保守作業を使用者が実施できるように、キャビティ４から引き出せる。
【００３７】
１つの形態において、装置は、調理用レンジを作動して調理蒸気Ｆが下向きに即ち上面１Ａ下方へ流動できるようにするために、調理用レンジ１と一緒に据付けユニットを形成する。
【００３８】
言い換えると、装置２は、抽出フードがレンジに一体化されるように、上面１Ａと一体化される。
【００３９】
即ち、この装置２は、調理ゾーン３の上方にありかつ上方で発生している調理蒸気Ｆの流れを垂直下向きにレンジの下方へ運ぶように構成される。
【００４０】
同様に図５を参照すると、本発明の特定の形態において、装置２は、上面１Ａから順次下記の物を備える。即ち、
−調理ゾーン３を加熱するために必要な加熱要素及び調理用レンジ１を制御するための電子機器を収容するように作動可能に構成された器具５、
−前記キャビティ４と流体連絡する第１調理蒸気取入れ室６、
−ラジアルファン７Ａ用のファンハウジング７、
−前記キャビティ４と流体連絡する第２調理蒸気取入れ室８。
【００４１】
本明細書において使用する場合、「順次」（in succession、連続して）は、上面１Ａから底面１Ｂへ向かう方向へ明示される順序での上記要素の連続を意味する。
【００４２】
有利なことに、ファンハウジング７は、第１取入れ室（６）及び第２取入れ室（８）の両方と流体連絡する。
【００４３】
１つの形態において、第１取入れ室（６）は、下向きにファンハウジング７の中へ運ばれる調理蒸気の第１部分Ｆ１と前記第２取入れ室８を通過してファンハウジング７の中へ上向きに運ばれる第２部分Ｆ２とに調理蒸気Ｆを分割するように構成される。
【００４４】
したがって、第１取入れ室６が存在するので、調理蒸気Ｆは、２つのストリームＦ１とＦ２とに分割され、ストリームは、より乱れのない流れ即ちより層状の流れでファンハウジング７へ向かって運ばれる。
【００４５】
調理蒸気Ｆがこのように２つのストリームＦ１とＦ２とに分離されることは、先行技術において開示されるファンハウジング７へ向かって流れる調理蒸気の単一の下向きストリームと比較して特に有利である。なぜなら、２つのストリームＦ１及びＦ２は、より渦度が低く、圧力損失に曝されることがより少ない。
【００４６】
即ち、本発明において、調理蒸気Ｆは、取入れ室６の周囲壁６Ａによって２つのストリームＦ１とＦ２とに分離される。
【００４７】
この壁６Ａは、調理蒸気コンベアＦとして作用し、特にキャビティ４に沿って流れる調理蒸気Ｆのために第１及び第２補正室６及び８の間の仕切りとして作用する。
【００４８】
このような周囲壁６Ａは、特に、キャビティに面する外側面、及び、取入れ室６及び８並びにファン７Ａ用のハウジング７に面する内側キャビティを形成する。
【００４９】
周囲壁６Ａの外側面のプロフィルによって、調理蒸気Ｆは、それぞれ第１と第２部分とに分割され、周囲壁６Ａの内側面のプロフィルによって、第１蒸気部分Ｆ１及び第２蒸気部分Ｆ２は、層流によってハウジング７へ向かって運ばれる。
【００５０】
特に、周囲壁６Ａの湾曲形状は、ファンハウジング７へ向かう第１蒸気部分Ｆ１及び第２蒸気部分Ｆ２の移動を容易にしかつ促進して、これらの部分をより層状にする。
【００５１】
好ましい実施形態において、周囲壁６Ａの湾曲形は、パラボラの円弧形を持つ。
【００５２】
１つの形態において、第１ストリーム部分Ｆ１は、グリル６Ｂを通過して流れ、キャビティから第１取入れ室６へアクセスして、ファン７Ａ用のハウジング７に到達するのに対して、第２ストリーム部分Ｆ２は、取入れグリル７Ｅを通過して流れて、ファン７Ａ用のハウジング７へアクセスする。
【００５３】
グリル６Ｂ及び７Ｅは、使用者がファン７Ａ及び電力供給を受ける部品に直接触れるのを防止することによって、使用者の安全を守るために規則によって要求されるグリルであることが分かるはずである。
【００５４】
更に、グリル６Ｂは、保護要素として作用するだけでなく、第１ストリームＦ１により規則的なパターンを提供できることも分かるはずである。
【００５５】
このために、取入れグリル６Ｂは、電子機器用のハウジング５の底部５Ａに近接して配置される。
【００５６】
器具５の底部５Ａに対するグリル６Ｂのこの位置によって、調理蒸気部分Ｆ１は、ハウジング７へ到達する前に、外向きに即ち調理用レンジ１の上面に対して実質的に平行に向けられる。
【００５７】
調理蒸気Ｆをキャビティ４の中へ引き込めるように、調理用レンジ１は例えば電気機械の回転子とラジアルファン７Ａのハブとの間の機械的結合によってラジアルファン７Ａを作動するように構成された電気機械１２を備える。
【００５８】
例えば、電気機械１２は、単一の電気モーターとして実現される。
【００５９】
好ましくは、調理用レンジ１は、中にファン７Ａを有する単一のハウジング７を使用する（ハウジングは、２つのストリームＦ１及びＦ２用の渦形室として、したがって通気パイプへ向かう気体用の経路として作用することが知られる）を使用する。
【００６０】
別の実施形態において、２つの対向するファンをハウジング７の中に設置できる。２つのファンは、単一の電気モーター１２によって作動される。
【００６１】
好ましい実施形態において、ファン７Ａの直径は１８５ｍｍであり、モーター１２によって与えられるその回転は、２７００〜３０００回転／分ほどの高さとすることができる。
【００６２】
下の表に示すように、上記の寸法的特性並びに調理蒸気Ｆを２つのストリームＦ１とＦ２とに分離することは、先行技術のレンジに比べてエネルギー効率クラスをより良くし、ＦＤＥ指数をより高くする。
【００６３】
１つの形態において、図５を参照すると、電気機械１２は、少なくとも部分的に第１取入れ室６の中に収容される。
【００６４】
即ち、電気機械１２の一部分は、第１吸引室６の中に収容され、残りは、ファンハウジング７の中に収容される。
【００６５】
これは、モーターが全体的にハウジング７の中に収容されない即ちモーターの一部分がハウジング７によって画定される体積の外にあるので、ハウジング７の中により大きいスペースがあり、より多くの量の空気を引き込める点で有利であり、調理用レンジ１の性能を向上する。
【００６６】
１つの形態において、図３も参照すると、電気機械１２は、モーターの安定した接続のために電気機器用のハウジング５の底部５Ａに機械的に接続される。
【００６７】
調理用レンジ１を制御するための電子制御機器は、加熱要素の作動及び調理蒸気Ｆを引き込むために必要とされる装置即ち抽出フードを形成する装置（第１及び第２取入れ室６および８、ファンハウジング７、ファン７Ａ及び電気機械１２）の作動を監督するように構成されることが分かるはずである。
【００６８】
調理用レンジ１は、蒸気通気パイプ９を備える。このパイプは、単純な抽出フードの場合（即ち付加的なフィルタ要素を持たない場合）直接ハウジング７の中へ嵌まり、フィルタフードの場合、間にフィルタブロックを挟んでハウジング７に結合される。フィルタブロックは、例えば、炭を原料とする１つ又は複数のフィルタ（調理蒸気Ｆから匂いを除去するのに非常に効果的）を持つように構成される。
【００６９】
図３に示すように、ファンハウジング７は、渦形室として作用する側壁と、調理蒸気Ｆ２の第２部分が通過して流れる取入れグリル７Ｅを有する底部７Ｄとを形成することが分かるはずである。
【００７０】
取入れグリル７Ｅは、又、流体力学的性能を改良するために第２蒸気部分Ｆ２に規則的パターンを与えるような設計を持つ。
【００７１】
１つの形態において、ハウジング７の底部７Ｄ及び調理用レンジ１の底面１Ｂ（図４も参照）は、第２調理蒸気部分Ｆ２用の流入路１０を形成する。
【００７２】
流路１０は、特に、キャビティ４の底部４Ｃとファン７Ａ用のハウジング７の底部７Ｄとの間で延びる。この流路１０は、実際には、第２取入れ室８を形成し、ハウジング７の上流に（第２部分Ｆ２用の調理蒸気経路と比較して）配置される。
【００７３】
流路１０は、調理蒸気Ｆ２が外へ向けられるように構成される。この外向き方向は、実質的にレンジの上面に対して平行である（図４）。
【００７４】
キャビティ４は、設定された軸方向Ｙ−Ｙに沿って延びる。この方向は、ファン７Ａ又は電気機械１２の垂直軸線Ｙ’−Ｙ’と異なる。
【００７５】
言い換えると、キャビティ４の軸線Ｙ−Ｙは、ファン７Ａ又は電気機械１２の軸線Ｙ’−Ｙ’からオフセットする。
【００７６】
１つの形態において、流路は、凝縮水、水又はその他の流体のコレクタとして作用することが分かるはずである。
【００７７】
即ち、流路１０は、ファン７Ａに引き込まれない即ち電気機械１２の作動に影響を及ぼさない特定の量の流体を収容できるように設計される。
【００７８】
但し、底面１Ｂに穴が設置され、中に収集された流体の排出のためにキャップ１Ｃを持つ（図３）。
【００７９】
意図される目的の達成を評価するために、出願者は、調理用レンジ１を、その抽出フード型において、ＷＯ２０１２／１４６２３７号の開示の特徴を持つＢＯＲＡ（登録商標）ＢＦＩＡレンジと比較した。
【００８０】
特に、ＢＯＲＡ（登録商標）ＢＦＩＡレンジは、一体化抽出フードを持つ調理用レンジであり、フードの抽出構成要素は、主に、２つのモーター、２つの渦形室、単一の下向き流動蒸気ストリームを含み、ストリームは、レンジに近接して配置されたそれぞれの取入れ室内で２つのストリームに分割される。
【００８１】
この比率の結果を下の表に要約する。
【表１】
2019510955.tif 000003
【００８２】
上記のテストは、国際規格「ＣＥＩ  ＩＥＣ  ６１５９１：家庭用レンジフード−性能を計測する方法」に従って実施された。
【００８３】
ＦＤＥ指数は、抽出ユニット（即ち、調理用レンジ１の場合、渦形室７及びファン７）によって生じた仕事と、電気機械（即ち、調理用レンジ１の場合、電気モーター１２）によって送られたパワーとの比率を表すので、フードの品質を評価するための最も代表的パラメータである。
【００８４】
上述のことに留意すると、表１の結果が示すように、調理用レンジ１は、ＢＯＲＡ（登録商標）ＢＦＩＡレンジと比べてかなり優れたエネルギー効率クラスを持つ。調理用レンジ１のエネルギー効率クラスはＡ＋であり、ＢＯＲＡ（登録商標）ＢＦＩＡレンジのエネルギー効率クラスはＢである。
【００８５】
これは、調理用レンジ１がＢＯＲＡ（登録商標）ＢＦＩＡレンジの２つのモーターの代わりに単一モーターを使用するため、及び特にＢＯＲＡ（登録商標）ＢＦＩＡレンジより優れた流体力学的挙動を持つためである。
【００８６】
この点に関して、調理用レンジ１のＦＤＥ指数は、ＢＯＲＡ（登録商標）ＢＦＩＡレンジよりかなり良く、ＢＯＲＡ（登録商標）ＢＦＩＡレンジが達成できるであろうＦＤＥ指数より約６５％高いことが分かる。
【００８７】
この利点は、調理用レンジ１が２つの異なる取入れ室６及び８（即ち、１つはキャビティ４の取入れ口４Ａに近接して配置され、他方は調理用レンジ１の底面１Ｂに近接して配置される）を持つこと、及び特に、調理蒸気スチームがより規則的な２つのストリームＦ１とＦ２とに分割されることに由来する。
【００８８】
即ち、第１ストリームＦ１は、ファンのハウジング７へ向かって下へ向かい、第２ストリームＦ２は、上記ハウジング７へ向かって上昇する。
【００８９】
逆に、ＢＯＲＡ（登録商標）ＢＦＩＡレンジにおいて、調理蒸気ストリームは１つであり、これはレンジ底部へ向かう渦巻流であり、それぞれのファンハウジングへ進入する前に２つのストリーム（同様に渦を形成する）に分かれる。
【００９０】
特に、ＢＯＲＡ（登録商標）ＢＦＩＡレンジにおいて、ストリームは、調理蒸気がレンジにぶつかってランダムに分離するので分割される。即ち、本発明のレンジで得られる２つのストリームの分離に比べて効率が低い。
【００９１】
更に、調理用レンジ１の構成は、最大静止圧力の点、即ち、圧力損失を回避する能力の点で、ＢＯＲＡ（登録商標）ＢＦＩＡレンジと比較して有利であることが分かるはずである。
【００９２】
当業者は、偶発的及び具体的ニーズに合わせて上述の配列体に対して多数の変化及び変形を加えることができることが分かるはずである。
【００９３】
これらの変形及び変更の全てが、請求項において規定する本発明の範囲内に属する。
【図１】
2019510955.tif 000004
【図２】
2019510955.tif 000005
【図３】
2019510955.tif 000006
【図４】
2019510955.tif 000007
【図５】
2019510955.tif 000008
【国際調査報告】
2019510955.tif 000009
2019510955.tif 000010
2019510955.tif 000011